【手続補正書】
【提出日】平成15年10月15日(2003.10.15)
【手続補正１】
【補正対象書類名】明細書
【補正対象項目名】特許請求の範囲
【補正方法】変更
【補正の内容】
【特許請求の範囲】
【請求項１】
輻射源からの輻射を伝送するための光ファイバシステムであって：
座面と関連する接続ポートをもつ輻射源と；
送信輻射端および接続端をもつ光ファイバと；
フェルールであって、肩部をもち，前記接続端をもつ光ファイバを周状に囲み，前記肩が前記輻射源の前記座面に着座させられたときに前記フェルールは前記肩よりも先に伸び，前記光ファイバの接続端は前記輻射源と光通信の状況になるフェルールと；
コネクタであって，接続部，バイアス要素および開口遠端をもち，前記コネクタは前記フェルールの肩が前記開口遠端を介して接近可能に前記フェルールをその中に同軸に保持し，前記コネクタは前記肩を前記輻射源と着座の関係にもたらし, 前記接続部を前記接続ポートに係合関係にもたらすように前記輻射源に向けて延ばすことができ, 前記バイアス要素は前記肩が前記輻射源に対して十分に着座する十分なバイアス力を提供する構造であり、そして前記接続部ポートに結合するための十分な構造である前記接続部分と、を含む光ファイバシステム。
【請求項２】
光ファイバと輻射源を結合するシステムであって：
接続端をもつ光ファイバと；フェルールであって肩をもち，前記フェルールは前記接続端をもつ前記光ファイバを前記フェルールの肩を越えて伸びるように周状に囲むフェルールと；
接続ポート，遠端開口およびその間のチャンネルをもつ接続ブロックと；
輻射源であり，近端部と座面を含み，前記近端部は近端対向を規定し，前記開口は前記接続ブロックの遠端開口と連通し，前記座面は前記フェルールの肩を着座の関係で受け入れる構造であり，前記光ファイバの前記接続端は前記近端開口内に受け入れられて，前記肩が着座したときに前記光ファイバの接続端と光通信の状態となる輻射源と；
コネクタボディであり，接続部，バイアス要素および開放遠端を含み，前記コネクタボディは前記フェルールの肩が前記開放遠端を介して近接できるように前記フェルールを同軸に保持し、前記コネクタボディは、前記接続ブロックの前記チャンネルに前記フェルールの肩が前記座面に接触し，さらに前記肩を前記座面に着座させ前記接続ブロックの接続ポートを整合させるまで延ばすことができ、前記バイアス要素は，前記コネクタボディが十分に延ばされて前記座面に前記肩が着座するのに十分なバイアス力を提供できる構造であるコネクタボディとからなる光ファイバと輻射源を結合するシステム。
【請求項３】
光ファイバ輻射伝達システムであって：
第１および第２の端部をもつある長さの光ファイバと；
前記第１の端部に設けられその長さに沿って輻射を送出することにより特徴づけられる輻射エミッタと；
コネクタは接続部，バイアス要素，および開放遠端を含み、前記コネクタは前記光ファイバをその第２の端部が前記開放遠端を介して近接できるように保持し、前記コネクタは内部に設けられた座面をもち，前記第２の端部は前記座面を越えて予め定められた一定の距離延びており，前記コネクタは前記光ファイバを前記座面経由で前記バイアス要素によるバイアス下に着座させ，前記第１と第２の端間の輻射を提供するものである光ファイバ輻射伝達システム。
【請求項４】
コネクタ組立において：
接続端をもつある長さの光ファイバと；
接続部, バイアス要素, および開放遠端を含むコネクタであり、前記コネクタは前記光ファイバを前記接続端が前記開放遠端を介して近接できるように内部に保持し、前記コネクタはその中に座面をもち, 前記第２の端部はあらかじめ定められた長さだけ延びており、前記コネクタは前記光ファイバを前記座面経由で前記バイアス要素によるバイアス力のもとに前記接続部経由で着座させることにより特徴づけられるコネクタとから構成されているコネクタ組立。
【請求項５】
光ファイバを輻射源に輻射を伝送するために接続する接続方法において：
座面と接続ポートをもつ輻射源を提供するステップと；
輻射送出端と接続端をもつ光ファイバを提供するステップと；
フェルールであって肩をもち，前記フェルールは前記フェルールの肩より延びる接続端をもつ光ファイバを取り囲むフェルールを提供するステップと；
接続部，バイアス要素および開放遠端をふくむコネクタであって、前記コネクタは前記フェルールを前記フェルールの肩が前記開放遠端を介して近接できるように前記フェルールを内部に保持し、前記コネクタは前記肩を前記輻射源に着座させ、そして前記接続部を前記接続ポートに係合させるように前記輻射源に向けて延長可能であり、前記バイアス要素は前記肩を前記輻射源に対して十分なバイアス力を持って着座させる構成であり、そして前記接続部は前記接続ポートに係合させる形状であるコネクタを提供するステップと；および
前記コネクタを前記輻射源方向に前記肩が前記座面に着座して前記接続部が前記接続ポートに係合するように延ばすステップとからなる光ファイバを輻射源に輻射を伝送するために接続する接続方法。
【請求項６】
光ファイバを輻射源に接続する方法において：
接続端をもつ光ファイバを提供するステップと；
フェルールであって肩をもち，前記フェルールは前記接続端をもつ光ファイバを前記フェルールの肩から延び出すように支持するフェルールを提供するステップと；
接続ポートおよびチャンネルを含む接続ブロックを提供するステップと；
前記接続ブロックと連絡する輻射源で，前記輻射源は開口をもち，それはその外周と前記フェルールの肩をそれに着座した状態で受け入れるための座面により決まり、前記光ファイバの接続端は前記開口に受けられて、前記肩がそのように着座したときに前記輻射源と光通信状態になる輻射源を提供するステップと；
接続部，バイアス要素および開放遠端をふくむコネクタボディであり、前記コネクタボディは前記フェルールを前記フェルールの肩が前記開放遠端を介して近接できるように前記フェルールを内部に保持し、前記コネクタボディは前記肩を前記輻射源に着座させ、そして前記接続部を前記接続ポートに係合させるように前記輻射源に向けて延長可能であり、前記バイアス要素は前記肩を前記輻射源に対して十分なバイアス力を持って着座させる構成であり、そして前記接続部は前記接続ポートに係合させる形状であるコネクタボディを提供するステップと；および前記コネクタボディを前記チャンネルに前記肩が前記座面に着座して前記接続部が前記接続ポートに係合するように延ばすステップとを含む光ファイバを輻射源に接続する方法。
【請求項７】
光ファイバから輻射を供給する方法において：
第１および第２の端部をもつある長さの光ファイバを提供するステップと；
前記第１の端部に設けられその長さに沿って輻射を送出することにより特徴づけられる輻射エミッタを提供するステップと；
コネクタボディは接続部，バイアス要素，および開放遠端を含み、前記コネクタは前記光ファイバをその第２の端部が前記開放遠端を介して近接できるように保持し、前記コネクタは内部に設けられた座面をもち、前記第２の端部は前記座面を越えて予め定められた一定の距離延びているコネクタボディを提供するステップと；および
前記コネクタボディを前記チャンネルに，前記肩が前記座面に着座し前記接続部と前記接続ポートが係合するように、延ばすステップとを含む光ファイバから輻射を供給する方法。
【請求項８】
光ファイバを接続する方法において：
接続端をもつある長さの光ファイバを提供するステップと；
接続部, バイアス要素, および開放遠端を含むコネクタであり、前記コネクタは前記光ファイバを前記接続端が前記開放遠端を介して近接できるように内部に保持し、前記コネクタはその中に座面をもち, 前記第２の端部はあらかじめ定められた長さだけ延びているコネクタを提供するステップと；
前記光ファイバを前記座面経由で前記バイアス要素によるバイアス力のもとに着座させるステップと；および
前記光ファイバを前記接続部経由でバイアスされた状態で着座されるステップとを含む光ファイバを接続する方法。
【手続補正２】
【補正対象書類名】明細書
【補正対象項目名】００６３
【補正方法】変更
【補正の内容】
【００６３】
本発明の種々の特徴が、その好適な実施例に関連して説明されたが、本発明は添付の特許請求の範囲により保護されるべきものと理解されたい。
尚、本発明の好ましい態様を整理して記載すると、下記のとおりである。
１． 輻射源からの輻射を伝送するための光ファイバシステムであって：座面と関連する接続ポートをもつ輻射源と；送信輻射端および接続端をもつ光ファイバと；フェルールであって、肩部をもち，前記接続端をもつ光ファイバを周状に囲み，前記肩が前記輻射源の前記座面に着座させられたときに前記フェルールは前記肩よりも先に伸び，前記光ファイバの接続端は前記輻射源と光通信の状況になるフェルールと；コネクタであって，接続部，バイアス要素および開口遠端をもち，前記コネクタは前記フェルールの肩が前記開口遠端を介して接近可能に前記フェルールをその中に同軸に保持し，前記コネクタは前記肩を前記輻射源と着座の関係にもたらし, 前記接続部を前記接続ポートに係合関係にもたらすように前記輻射源に向けて延ばすことができ, 前記バイアス要素は前記肩が前記輻射源に対して十分に着座する十分なバイアス力を提供する構造であり、そして前記接続部ポートに結合するための十分な構造である前記接続部分と、を含む光ファイバシステム。
２． 上記１記載のシステムにおいて、前記光ファイバの前記接続端は、前記肩が前記座表面に着座したときに、前記フェルールの肩よりも前記光ファイバと前記輻射源間に光通信が確立されるのに十分な距離だけ伸びている光ファイバシステム。
３． 上記１記載のシステムにおいて、前記バイアス要素が圧縮ばねである光ファイバシステム。
４． 上記１記載のシステムにおいて、前記コネクタが前記座面に対して前記肩が着座するまで十分に延ばされ、前記接続部が前記接続ポートに係合することなく釈放されるとき前記コネクタに前記コネクタを前記座面と反対方向の排斥力が働く光ファイバシステム。
５． 上記１記載のシステムにおいて、前記接続ポートはその内部の円周に沿って内側に向けられた突起をもっている光ファイバシステム。
６． 上記５記載のシステムにおいて、前記コネクタの接続部分はその外周に沿って前記接続ポートの前記突起に係合するための係合要素を含む光ファイバシステム。
７． 上記６記載のシステムにおいて、前記突起は唇状であって前記係合要素は前記唇にラッチ結合する光ファイバシステム。
８． 上記７記載のシステムにおいて、前記係合要素は、前記コネクタボディを前記座面とは反対の方向に動かす排斥力に対して、前記突起との係合を十分に維持する係合力を発生するばねをもつ光ファイバシステム。
９． 上記１記載のシステムにおいて、前記輻射源はスイッチと関連し、そして前記コネクタは前記接続部分が前記接続ポートに結合するときに前記スイッチを付勢する構造の付勢要素を含む光ファイバシステム。
１０． 上記９記載のシステムにおいて、前記スイッチは、起動されたとき、前記接続部と前記接続ポートが係合したことを示す信号を発生する光ファイバシステム。
１１． 上記９記載のシステムにおいて、前記付勢手段は前記スイッチを押しさげるのに十分な構成である光ファイバシステム。
１２． 上記１記載のシステムにおいて、前記コネクタの開放遠端は前記コネクタボディが前記チャンネルの中に前記肩が前記座面に接触するように十分に延ばされたときに前記輻射源の近端の外周に適合するものである光ファイバシステム。
１３． 上記１２記載のシステムにおいて、前記コネクタはその内周にねじ部を持ち，そして前記近端はその外周に対応するねじ部を持ち，前記コネクタは前記ねじ部を対応するねじ部にねじ結合するするために十分に回転可能である光ファイバシステム。
１４． 上記１記載のシステムにおいて、前記コネクタは前記の光ファイバを特定する情報をもつものである光ファイバシステム。
１５． 上記１４記載のシステムにおいて、前記情報はデジタルコードである光ファイバシステム。
１６． 上記１５記載のシステムにおいて、前記コードは少なくとも一つの帯が前記コネクタの外周を囲むものである光ファイバシステム。
１７． 上記１記載のシステムにおいて、前記コネクタはその直径の最も大きい部分に前記コネクタがある表面で転がることを極小にするための周辺構造を含むものである光ファイバシステム。
１８． 上記１７記載のシステムにおいて、前記周辺構造は、前記コネクタボディの直径の最も大きい部分で前記外周を越えて外方に伸びる少なくとも一つの突出部をもつものである光ファイバシステム。
１９． 光ファイバと輻射源を結合するシステムであって：接続端をもつ光ファイバと；フェルールであって肩をもち，前記フェルールは前記接続端をもつ前記光ファイバを前記フェルールの肩を越えて伸びるように周状に囲むフェルールと；接続ポート，遠端開口およびその間のチャンネルをもつ接続ブロックと；輻射源であり，近端部と座面を含み，前記近端部は近端対向を規定し，前記開口は前記接続ブロックの遠端開口と連通し，前記座面は前記フェルールの肩を着座の関係で受け入れる構造であり，前記光ファイバの前記接続端は前記近端開口内に受け入れられて，前記肩が着座したときに前記光ファイバの接続端と光通信の状態となる輻射源と；コネクタボディであり，接続部，バイアス要素および開放遠端を含み，前記コネクタボディは前記フェルールの肩が前記開放遠端を介して近接できるように前記フェルールを同軸に保持し、前記コネクタボディは、前記接続ブロックの前記チャンネルに前記フェルールの肩が前記座面に接触し，さらに前記肩を前記座面に着座させ前記接続ブロックの接続ポートを整合させるまで延ばすことができ、前記バイアス要素は，前記コネクタボディが十分に延ばされて前記座面に前記肩が着座するのに十分なバイアス力を提供できる構造であるコネクタボディとからなる光ファイバと輻射源を結合するシステム。
２０． 上記１９記載のシステムにおいて、前記光ファイバの接続端は前記フェルールの肩から、前記肩が前記座面に対して着座させられたときに、前記光ファイバと前記輻射源との間に十分な光通信状態が確保できる距離だけ延び出している光ファイバと輻射源を結合するシステム。
２１． 上記１９記載のシステムにおいて、前記コネクタボディのバイアス要素は圧縮ばねである光ファイバと輻射源を結合するシステム。
２２． 上記１９記載のシステムにおいて、前記コネクタボディが前記チャンネル内に前記肩が前記座面に着座するように十分に延ばされ、前記接続部分が前記接続ポートに係合されないときは前記コネクタボディに前記座面の反対方向に排斥力が働く光ファイバと輻射源を結合するシステム。
２３． 上記１９記載のシステムにおいて、前記接続ポートはその内周面に沿って内側方向に向かう突起物をもつものである光ファイバと輻射源を結合するシステム。
２４． 上記２３記載のシステムにおいて、前記コネクタボディの前記接続部は、前記接続ポートの前記突出部に係合するための係合要素を外周に沿って含んでいる光ファイバと輻射源を結合するシステム。
２５． 上記２４記載のシステムにおいて、前記突出部は唇状であり、前記係合要素は重なってラッチするように前記唇に係合するものである光ファイバと輻射源を結合するシステム。
２６． 上記２５記載のシステムにおいて、前記係合要素は、前記コネクタボディに対して前記コネクタボディを前記座面と反対方向に動かす排斥力に対して前記突出部との係合を維持するのに十分な係合力を提供する少なくとも一つのばねをもつものである光ファイバと輻射源を結合するシステム。
２７． 上記１９記載のシステムにおいて、前記接続ブロックは、前記接続ポートの外周に近接する窪みと前記窪みに連絡するスイッチを含み、前記コネクタボディは前記窪みに適合する構成で、前記接続部分が前記接続ポートに係合するときに前記スイッチを付勢する要素を含むものである光ファイバと輻射源を結合するシステム。
２８． 上記２７記載のシステムにおいて、前記スイッチが起動されたとき、前記接続部が前記接続ポートに係合したことを示す信号を発生するものである光ファイバと輻射源を結合するシステム。
２９． 上記２７記載のシステムにおいて、前記スイッチは前記窪みの中に延びており，そして前記付勢要素は、前記接続部が前記接続ポートに係合するときに、前記スイッチを押し下げるのに十分な構造の突出構造を含む光ファイバと輻射源を結合するシステム。
３０． 上記２９記載のシステムにおいて、前記突出構造は、前記接続部と前記コネクタポートが係合させられたときにコネクタボディを前記係合部から動かそうとするそれに働く好ましくない力を十分に安定化させる構造である光ファイバと輻射源を結合するシステム。
３１． 上記１９記載のシステムにおいて、前記コネクタボディの開放遠端は、前記コネクタボディの前記チャンネル内に前記肩を前記座面と接触するように十分延ばしたときに、前記輻射源の近端部分の外周に適合するものである光ファイバと輻射源を結合するシステム。
３２． 上記３１記載のシステムにおいて、前記コネクタボディはその内周にねじ部を持ち，そして前記近端はその外周に対応するねじ部を持ち，前記コネクタボディは前記ねじ部を対応するねじ部にねじ結合するするために十分に回転可能である光ファイバと輻射源を結合するシステム。
３３． 上記１９記載のシステムにおいて、前記接続ブロックはそのチャンネルに沿って少なくとも一つの検出器を含み，そして前記コネクタボディは、前記接続部分と前記接続ポートが係合するときに、前記コネクタボディは前記検出器により検出される情報を持っている光ファイバと輻射源を結合するシステム。
３４． 上記３３記載のシステムにおいて、前記検出器はディジタルコードセンサであり、そして前記情報は前記光ファイバを特定するためのディジタルコードを含むものである前記光ファイバと輻射源を結合するシステム。
３５． 上記３４記載のシステムにおいて、前記コードは前記コネクタボディを周回する少なくとも一つの帯の形態である光ファイバと輻射源を結合するシステム。
３６． 上記１９記載のシステムにおいて、前記コネクタボディの直径が最も大きい部分に前記コネクタボディは前記コネクタボディが表面で転がることを極小にする周辺構造を含む光ファイバと輻射源を結合するシステム。
３７． 上記３６記載のシステムにおいて、前記周辺構造は前記コネクタボディが前記直径の最大の部分において外方向に突出する少なくとも一つの突出を含むものである光ファイバと輻射源を結合するシステム。
３８． 上記１９記載のシステムにおいて、前記接続ブロックは遮蔽位置と開放位置間を移動可能なシャッタを含み，遮蔽位置では、シャッタは前記チャンネルを塞ぎ、前記輻射源から前記チャンネルを通過する輻射の伝達を妨げ、開放位置にあるときは、前記シャッタは前記チャンネルでの妨げとならないものである光ファイバと輻射源を結合するシステム。
３９． 上記３８記載のシステムにおいて、前記シャッタは、前記チャンネルに対して、前記チャンネルを妨げる相対位置にあり、前記シャッタは前記コネクタボディが前記点に対して近接していときに阻止位置にあり、前記コネクタボディが前記コネクタボディの遠端が、前記の点に対して遠点にあるように延ばされているときに開放位置となるものである光ファイバと輻射源を結合するシステム。
４０． 光ファイバ輻射伝達システムであって：第１および第２の端部をもつある長さの光ファイバと；前記第１の端部に設けられその長さに沿って輻射を送出することにより特徴づけられる輻射エミッタと；コネクタは接続部，バイアス要素，および開放遠端を含み、前記コネクタは前記光ファイバをその第２の端部が前記開放遠端を介して近接できるように保持し、前記コネクタは内部に設けられた座面をもち，前記第２の端部は前記座面を越えて予め定められた一定の距離延びており，前記コネクタは前記光ファイバを前記座面経由で前記バイアス要素によるバイアス下に着座させ，前記第１と第２の端間の輻射を提供するものである光ファイバ輻射伝達システム。
４１． コネクタ組立において：接続端をもつある長さの光ファイバと；接続部, バイアス要素, および開放遠端を含むコネクタであり、前記コネクタは前記光ファイバを前記接続端が前記開放遠端を介して近接できるように内部に保持し、前記コネクタはその中に座面をもち, 前記第２の端部はあらかじめ定められた長さだけ延びており、前記コネクタは前記光ファイバを前記座面経由で前記バイアス要素によるバイアス力のもとに前記接続部経由で着座させることにより特徴づけられるコネクタとから構成されているコネクタ組立。
４２． 光ファイバを輻射源に輻射を伝送するために接続する接続方法において：座面と接続ポートをもつ輻射源を提供するステップと；輻射送出端と接続端をもつ光ファイバを提供するステップと；フェルールであって肩をもち，前記フェルールは前記フェルールの肩より延びる接続端をもつ光ファイバを取り囲むフェルールを提供するステップと；接続部，バイアス要素および開放遠端をふくむコネクタであって、前記コネクタは前記フェルールを前記フェルールの肩が前記開放遠端を介して近接できるように前記フェルールを内部に保持し、前記コネクタは前記肩を前記輻射源に着座させ、そして前記接続部を前記接続ポートに係合させるように前記輻射源に向けて延長可能であり、前記バイアス要素は前記肩を前記輻射源に対して十分なバイアス力を持って着座させる構成であり、そして前記接続部は前記接続ポートに係合させる形状であるコネクタを提供するステップと；および前記コネクタを前記輻射源方向に前記肩が前記座面に着座して前記接続部が前記接続ポートに係合するように延ばすステップとからなる光ファイバを輻射源に輻射を伝送するために接続する接続方法。
４３． 上記４２記載の方法において、前記バイアス要素は圧縮可能で、前記コネクタが前記バイアス要素を圧縮するように十分延ばしたときにバイアス力を発生する光ファイバを輻射源に輻射を伝送するために接続する接続方法。
４４． 上記４２記載の方法において、さらにスイッチと付勢要素を提供するステップを含む光ファイバを輻射源に輻射を伝送するために接続する接続方法。
４５． 上記４４記載の方法において、前記スイッチが付勢されると信号が発生させられるものである光ファイバを輻射源に輻射を伝送するために接続する接続方法。
４６． 上記４２記載の方法において、さらに光ファイバを特定する情報，および前記情報を検出する検出器を提供するステップを含む光ファイバを輻射源に輻射を伝送するために接続する接続方法。
４７． 光ファイバを輻射源に接続する方法において：接続端をもつ光ファイバを提供するステップと；フェルールであって肩をもち，前記フェルールは前記接続端をもつ光ファイバを前記フェルールの肩から延び出すように支持するフェルールを提供するステップと；接続ポートおよびチャンネルを含む接続ブロックを提供するステップと；前記接続ブロックと連絡する輻射源で，前記輻射源は開口をもち，それはその外周と前記フェルールの肩をそれに着座した状態で受け入れるための座面により決まり、前記光ファイバの接続端は前記開口に受けられて、前記肩がそのように着座したときに前記輻射源と光通信状態になる輻射源を提供するステップと；接続部，バイアス要素および開放遠端をふくむコネクタボディであり、前記コネクタボディは前記フェルールを前記フェルールの肩が前記開放遠端を介して近接できるように前記フェルールを内部に保持し、前記コネクタボディは前記肩を前記輻射源に着座させ、そして前記接続部を前記接続ポートに係合させるように前記輻射源に向けて延長可能であり、前記バイアス要素は前記肩を前記輻射源に対して十分なバイアス力を持って着座させる構成であり、そして前記接続部は前記接続ポートに係合させる形状であるコネクタボディを提供するステップと；および前記コネクタボディを前記チャンネルに前記肩が前記座面に着座して前記接続部が前記接続ポートに係合するように延ばすステップとを含む光ファイバを輻射源に接続する方法。
４８． 光ファイバから輻射を供給する方法において：第１および第２の端部をもつある長さの光ファイバを提供するステップと；前記第１の端部に設けられその長さに沿って輻射を送出することにより特徴づけられる輻射エミッタを提供するステップと；コネクタボディは接続部，バイアス要素，および開放遠端を含み、前記コネクタは前記光ファイバをその第２の端部が前記開放遠端を介して近接できるように保持し、前記コネクタは内部に設けられた座面をもち、前記第２の端部は前記座面を越えて予め定められた一定の距離延びているコネクタボディを提供するステップと；および前記コネクタボディを前記チャンネルに，前記肩が前記座面に着座し前記接続部と前記接続ポートが係合するように、延ばすステップとを含む光ファイバから輻射を供給する方法。
４９． 光ファイバを接続する方法において：接続端をもつある長さの光ファイバを提供するステップと；接続部, バイアス要素, および開放遠端を含むコネクタであり、前記コネクタは前記光ファイバを前記接続端が前記開放遠端を介して近接できるように内部に保持し、前記コネクタはその中に座面をもち, 前記第２の端部はあらかじめ定められた長さだけ延びているコネクタを提供するステップと；前記光ファイバを前記座面経由で前記バイアス要素によるバイアス力のもとに着座させるステップと；および前記光ファイバを前記接続部経由でバイアスされた状態で着座されるステップとを含む光ファイバを接続する方法。